(57)【要約】【課題】ペーパーセパレート機構を提供する。【解決手段】ペーパーセパレート機構１００はペーパーセパレートローラーセット１０、伝動ギアセット２０、ステップモーター３０を有する。ペーパーセパレートローラーセット１０はペーパーセパレートローラー１１、ペーパーピックアップローラー１２を有する。伝動ギアセット２０は連接し、回転制限トルクをペーパーセパレートローラー１１に伝える。ステップモーター３０は一定のトルクを伝動ギアセット２０に提供する。ステップモーター３０は電流の大きさを通して異なる一定のトルクを提供でき、伝動ギアセット２０を通してペーパーセパレートローラー１１に必要なさまざまな回転制限トルクを提供する。本考案の設置により、さまざまな種類の紙に対して、適したセパレート力に調整し、パーツを交換しなくとも、最良のセパレート効果を達成することができる。【選択図】図１
0003211504.tif 000002
【実用新案登録請求の範囲】
【請求項１】
ペーパーセパレート機構であって、ペーパーセパレートローラーセット、伝動ギアセット、及びステップモーターを有し、
前記ペーパーピックアップローラーセットは、ペーパーセパレートローラー及びペーパーピックアップローラーを有し、
前記伝動ギアセットは、前記ペーパーセパレートローラーに連接し、並びに回転制限トルクを前記ペーパーセパレートローラーに伝え、
前記ステップモーターは、一定のトルクを伝動ギアセットに提供し、しかも前記ステップモーターは、電流の大きさを通して、異なる一定のトルクを提供でき、さらに前記伝動ギアセットを通して、ペーパーセパレートローラーに、必要なさまざまな回転制限トルクを提供することを特徴とするペーパーセパレート機構。
【請求項２】
前記伝動ギアセットは、前記ステップモーターと連接する第一伝動ギア、前記第一伝動ギアと噛み合う第二伝動ギア、コンベアベルトにより連接される２個の第三伝動ギア、第四伝動ギア、及びペーパーセパレートギアを有し、
前記１個の第三伝動ギアと前記第二伝動ギアとは噛み合い、前記もう１個の第三伝動ギアと前記第四伝動ギアとは噛み合い、
前記ペーパーセパレートギアは同軸で前記ペーパーセパレートローラーに連接し、
前記第四伝動ギアは、前記ペーパーセパレートギアに噛み合うことを特徴とする請求項１に記載のペーパーセパレート機構。
【考案の詳細な説明】
【技術分野】
【０００１】
本考案はペーパーセパレート機構に関し、特にセパレート力を調整可能なペーパーセパレート機構に関する。
【背景技術】
【０００２】
電子技術の発展に従い、自動ペーパーフィードスキャナーは、多くのコンピューター使用者にとって基本配備の一つとなっている。
それは、ドキュメント、雑誌、書籍、図等の文字或いは画像材料をスキャンしてコンピューターに入力し、処理することができる。
【０００３】
従来の自動ペーパーフィードスキャナーのペーパーセパレート構造は通常、ペーパーセパレートローラー及びトルクリミッターを有する。
ペーパーセパレートローラーにより、多数の紙をセパレートし、トルクリミッターはペーパーセパレートローラーを補助して、ペーパーセパレートローラーにセパレート力Ｆを生じさせる。
セパレート力Ｆ＝トルクリミッターの回転トルクＴ／ペーパーセパレートローラー半径Ｒである。
セパレート力Ｆが紙間の摩擦力を上回った時、重なっている多数の紙を分けることができる。
【０００４】
しかし、自動ペーパーフィードスキャナーが支援する紙の種類と範囲がどんどん広がるに従い、紙の摩擦力範囲もどんどん広がっている。
従来のトルクリミッターは、固定された回転制限トルクしか提供できないため、トルクリミッター設定時には、ペーパーピックアップ力をセパレート力より大きくしなければ、一枚の紙をピックアップする際に正常に連動されることはない。
けれども、このような設計にはある種の制限がある。
例えば、摩擦係数が比較的大きな紙の場合には、必要なペーパーピックアップ力もそれに従い大きくなる。
よって、比較的大きいセパレート力を用いて、摩擦係数が比較的大きい多数の紙をセパレートすることで、セパレート力がペーパーピックアップ力より大きくなることはない。
このようなセパレート力が大きな設定において、摩擦係数が小さい紙をピックアップする時には、ペーパーピックアップローラーのペーパーピックアップ力は相対的に低下するが、そのトルクリミッターの回転制限トルクＴは不変で、大きいセパレート力を提供する。
これにより、一枚の紙をピックアップする時のペーパーピックアップ力は、セパレート力より小さくなり、こうしてペーパーをピックアップしないという現象が発生する。
【０００５】
紙の特性に対応して、トルクリミッターの回転トルクＴを適当に調整できれば、より多くの種類の紙を支援することができる。
現在市場には、さまざまなトルクを有するトルクリミッターを配備し、手動でさまざまなトルクリミッターに調整し、異なる回転制限トルクを提供することで、さまざまな紙に適応できる製品が見られる。
けれども、このようなやり方では、多数のトルクリミッターを交換しなければ、より良いセパレートの効果を得ることはできず、操作は複雑で、しかも即時に変更することはできない。
そのため、トルクの大きさを調整可能な回転制限トルク構造を設計し、さまざまな紙の特性に対応して異なる回転制限トルクを提供し、最良のセパレート効果を達成することが待たれている。
【考案の概要】
【考案が解決しようとする課題】
【０００６】
本考案の目的はセパレート力を調整可能なペーパーセパレート機構を提供することにある。
【課題を解決するための手段】
【０００７】
本考案によるペーパーセパレート機構は、ペーパーセパレートローラーセット、伝動ギアセット、及びステップモーターを有する。
該ペーパーセパレートローラーセットはペーパーセパレートローラー及びペーパーピックアップローラーを有する。
該伝動ギアセットは、ペーパーセパレートローラーに連接し、並びに回転制限トルクをペーパーセパレートローラーに伝える。
該ステップモーターは、一定のトルクを伝動ギアセットに提供し、しかも該ステップモーターは、電流の大きさを通して、異なる一定のトルクを提供でき、さらに伝動ギアセットを通して、ペーパーセパレートローラーに、必要なさまざまな回転制限トルクを提供する。
【考案の効果】
【０００８】
本考案によるペーパーセパレート機構は、ステップモーターにより異なる紙、及び紙と紙との間の異なる摩擦力に応じて、手動或いは自動で電流を調節する。
こうして、さまざまな一定のトルクを提供し、ステップモーターが生じる一定のトルクと電流とは正比例し、さらに伝動ギアセットにより、ステップモーターが生じる一定のトルクを、ペーパーセパレートローラーに伝え、必要な、さまざまな回転制限トルクを提供する。
こうして、さまざまな種類の紙に対して、適したセパレート力に調整し、パーツを交換しなくとも、最良のセパレート効果を達成することができる。
【図面の簡単な説明】
【０００９】
【図１】本考案ペーパーセパレート機構の立体図である。
【考案を実施するための形態】
【００１０】
（一実施形態）
図１に示す通り、本考案によるペーパーセパレート機構１００は、自動ペーパーフィーダーに設置し、さまざまな種類の紙のセパレートに用いることができる。
ペーパーセパレート機構１００は、ペーパーセパレートローラーセット１０、伝動ギアセット２０、及び回転制限トルクを提供するステップモーター３０を有する。
本実施形態では、図１中の前方を前方と定義する。
ペーパーセパレート機構１００がペーパーをピックアップする時、紙は後端から進入し、前端から送り出される。
【００１１】
図１に示す通り、ペーパーセパレートローラーセット１０は、ペーパーセパレートローラー１１及びペーパーピックアップローラー１２を有する。
【００１２】
図１に示す通り、伝動ギアセット２０は、ステップモーター３０と連接する第一伝動ギア２１、第一伝動ギア２１と噛み合う第二伝動ギア２２、コンベアベルトにより連接される２個の第三伝動ギア２３、第四伝動ギア２４、及びペーパーセパレートギア２５を有する。
第三伝動ギア２３と第二伝動ギア２２とは噛み合い、もう１個の第三伝動ギア２３と第四伝動ギア２４とは噛み合う。
ペーパーセパレートギア２５は同軸でペーパーセパレートローラー１１に連接し、第四伝動ギア２４は、ペーパーセパレートギア２５に噛み合い、こうしてペーパーセパレートローラー１１の回転を連動する。
【００１３】
ステップモーター３０は、一定のトルクを伝動ギアセット２０に提供する。
ステップモーター３０を通過した電流が大きい時には、その一定のトルクは大きく、ステップモーター３０を通過した電流が小さい時には、その一定のトルクは小さい。
よって、ステップモーター３０は、電流の大きさを通して、異なる一定のトルクを提供でき、さらに伝動ギアセット２０を通して、一定のトルクをペーパーセパレートローラー１１に提供し、必要なさまざまな回転制限トルクに転換する。
【００１４】
図１に示す通り、本考案によるペーパーセパレート機構１００の作動時には、ステップモーター３０は、異なる紙、及び紙と紙との間の異なる摩擦力に応じて、手動或いは自動で電流を調節する。
こうして、さまざまな一定のトルクを提供し、ステップモーター３０が生じる一定のトルクと電流とは正比例する。
さらに、伝動ギアセット２０により、ステップモーター３０が生じる一定のトルクを、ペーパーセパレートローラー１１に伝え、必要な、さまざまな回転制限トルクを提供する。
回転制限トルク／ペーパーセパレートローラーの半径が、紙と紙との間の摩擦力より大きい時には、ペーパーセパレートローラー１１とペーパーピックアップローラー１２は対応して紙をセパレートし、重なった紙は後端から進入し、前端から送り出される。
こうして、ステップモーター３０を調整することで、さまざまな種類の重なった紙を分けることができる。
【００１５】
上記した通り、本考案によるペーパーセパレート機構１００は、ステップモーター３０により、異なる紙、及び紙と紙との間の異なる摩擦力に応じて、手動或いは自動で電流を調節する。
こうして、さまざまな一定のトルクを提供し、ステップモーター３０が生じる一定のトルクと電流とは正比例し、さらに伝動ギアセット２０により、ステップモーター３０が生じる一定のトルクを、ペーパーセパレートローラー１１に伝え、必要な、さまざまな回転制限トルクを提供する。
こうして、さまざまな種類の紙に対して、適したセパレート力に調整し、パーツを交換しなくとも、最良のセパレート効果を達成することができる。
【符号の説明】
【００１６】
１００  ペーパーセパレート機構
１０  ペーパーセパレートローラーセット
１１  ペーパーセパレートローラー
１２  ペーパーピックアップローラー
２０  伝動ギアセット
２１  第一伝動ギア
２２  第二伝動ギア
２３  第三伝動ギア
２４  第四伝動ギア
２５  ペーパーセパレートギア
３０  ステップモーター
【図１】
0003211504.tif 000003
【手続補正書】
【提出日】平成29年5月18日(2017.5.18)
【手続補正１】
【補正対象書類名】実用新案登録請求の範囲
【補正対象項目名】全文
【補正方法】変更
【補正の内容】
【実用新案登録請求の範囲】
【請求項１】
ペーパーセパレート機構であって、ペーパーセパレートローラーセット、伝動ギアセット、及びステップモーターを有し、
前記ペーパーセパレートローラーセットは、ペーパーセパレートローラー及びペーパーピックアップローラーを有し、
前記伝動ギアセットは、前記ペーパーセパレートローラーに連接し、並びに回転制限トルクを前記ペーパーセパレートローラーに伝え、
前記ステップモーターは、一定のトルクを伝動ギアセットに提供し、しかも前記ステップモーターは、電流の大きさを通して、異なる一定のトルクを提供でき、さらに前記伝動ギアセットを通して、ペーパーセパレートローラーに、必要なさまざまな回転制限トルクを提供することを特徴とするペーパーセパレート機構。
【請求項２】
前記伝動ギアセットは、前記ステップモーターと連接する第一伝動ギア、前記第一伝動ギアと噛み合う第二伝動ギア、コンベアベルトにより連接される２個の第三伝動ギア、第四伝動ギア、及びペーパーセパレートギアを有し、
前記１個の第三伝動ギアと前記第二伝動ギアとは噛み合い、前記もう１個の第三伝動ギアと前記第四伝動ギアとは噛み合い、
前記ペーパーセパレートギアは同軸で前記ペーパーセパレートローラーに連接し、
前記第四伝動ギアは、前記ペーパーセパレートギアに噛み合うことを特徴とする請求項１に記載のペーパーセパレート機構。